(57)【要約】【課題】  天井裏の給排水装置への気化ユニットの取り付け及び取り外しを簡単かつ迅速に行うための具体的態様を提案する。【解決手段】  水槽１ａと気化媒体１ｂが一体且つ分離自在に形成された気化ユニット１と、天井内部に設けられ前記気化ユニット１を支持及び該支持を解除自在の給排水装置２と、前記気化媒体１ｂに風を当てる送風機３と、を備え、前記給排水装置２側に前記気化ユニット１の差込みガイド２０が配設される天井埋込型気化式加湿装置であって、前記給排水装置２による気化ユニット１の支持及び該支持の解除を、前記給排水装置２側に設けられる吊り下げ支持部材３４と前記気化ユニット１側に設けられる係合部３２との係合及び係合解除によって行う。【選択図】  図５
2013194944.tif 000002
【特許請求の範囲】
【請求項１】
水槽と気化媒体が一体且つ分離自在に形成された気化ユニットと、天井内部に設けられ前記気化ユニットを支持及び該支持を解除自在の給排水装置と、前記気化媒体に風を当てる送風機と、を備え、前記給排水装置側に前記気化ユニットの差込みガイドが配設される天井埋込型気化式加湿装置であって、前記給排水装置による気化ユニットの支持及び該支持の解除を、前記給排水装置側に設けられる吊り下げ支持部材と前記気化ユニット側に設けられる係合部との係合及び係合解除によって行うことを特徴とする天井埋込型気化式加湿装置。
【請求項２】
前記吊り下げ支持部材が、前記気化ユニットを適正な取付位置に支持する取付位置と、該取付位置よりも低い位置にあって前記吊り下げ支持部材と前記係合部との係合及び係合解除を行う係脱作業位置と、に操作自在であることを特徴とする天井埋込型気化式加湿装置。
【請求項３】
前記吊り下げ支持部材の操作をつめ車装置によって行うことを特徴とする請求項１又は２に記載の天井埋込型気化式加湿装置。
【請求項４】
前記つめ車装置を構成するつめとつめ車との係合を解除する操作部材を備え、前記つめとつめ車との係合が解除されることにより前記つめ車が所定量だけ回動して前記吊り下げ支持部材が前記取り外し作業位置まで降下することを特徴とする請求項３に記載の天井埋込型気化式加湿装置。
【請求項５】
前記吊り下げ支持部材の端部に抜け止め部材が固着され、前記気化ユニット側に前記係合部としてスリット付ブラケットが配設され、前記吊り下げ支持部材と前記係合部との係合及び係合解除が、前記スリットへの前記吊り下げ支持部材の係脱によって行われることを特徴とする請求項１，２，３又は４に記載の天井埋込型気化式加湿装置。
【発明の詳細な説明】
【技術分野】
【０００１】
本発明は、天井埋込型気化式加湿装置に関するもので、特に、水槽と気化媒体が一体且つ分離自在に形成された気化ユニットと、天井内部に設けられ前記気化ユニットを支持及び該支持を解除自在の給排水装置と、前記気化媒体に風を当てる送風機と、を備えるものに関する。
【背景技術】
【０００２】
本願の出願人は、天井埋込型気化式加湿装置として、次の構成のものを提案している（特願２０１０−２０２６９９号）。すなわち、水槽と気化媒体とが一体且つ分離自在に形成された気化ユニットと、天井内部に設けられ前記気化ユニットを支持及び該支持を解除自在の給排水装置と、前記気化媒体に風を当てる送風機と、を備える天井埋込型気化式加湿装置である。
【０００３】
前記加湿装置によれば、前記給排水装置から前記気化ユニットを取り外して該気化ユニットを天井裏から取り出すことができる。そして、水槽と気化媒体を分離してこれらの洗浄、交換及び保守点検等の各作業を容易に行うことができる。前記作業終了後には、前記と逆の手順で前記気化ユニットを元の位置に戻して前記給排水装置に支持させればよい。
【０００４】
前記出願では、前記給排水装置による前記気化ユニットの支持及び該支持の解除の具体的態様として、前記気化ユニットに設けられたストッパと、前記給排水装置に設けられ前記ストッパと係合及び係合解除自在のラッチと、で行うものを提案し、さらに、前記ストッパとラッチとの係合解除を、前記気化ユニットの下部に引き出し可能に設けたスライド板の引き出しに連動させて行うことを提案している。さらに、前記ラッチ及びスライド板が自動復帰手段を有する態様も提案している。このような実施の形態を採用することで、前記気化ユニットの取り外し作業も取り付け作業も簡単且つ迅速に行うことができる。
【発明の概要】
【発明が解決しようとする課題】
【０００５】
本発明は、前記給排水装置への前記気化ユニットの取り付け及び取り外しを簡単かつ迅速に行うための他の具体的態様を提案しようとするものである。
【課題を解決するための手段】
【０００６】
本発明に係る天井埋込型気化式加湿装置は、水槽と気化媒体が一体且つ分離自在に形成された気化ユニットと、天井内部に設けられ前記気化ユニットを支持及び該支持を解除自在の給排水装置と、前記気化媒体に風を当てる送風機と、を備え、前記給排水装置側に前記気化ユニットの差込みガイドが配設される天井埋込型気化式加湿装置であって、前記給排水装置による気化ユニットの支持及び該支持の解除を、前記給排水装置側に設けられる吊り下げ支持部材と前記気化ユニット側に設けられる係合部との係合及び係合解除によって行うことを特徴とする（請求項１）。
【０００７】
本発明によれば、作業者が前記気化ユニットを手で支え上げ、前記差込みガイドに沿って前記気化ユニットを前記給排水装置側に差込み、前記係合部に対して前記吊り下げ支持部材を係合させることで、前記気化ユニットを前記給排水装置に吊り下げ支持させることができる。同様に、作業者が前記気化ユニットを下から手で支えた状態で、前記係合部から前記吊り下げ支持部材を外すことで、前記気化ユニットを前記給排水装置から取り外すことができる。よって、前記気化ユニットの取り付け及び取り外しが簡単かつ迅速に行える。
【０００８】
好適な実施の一形態として、前記吊り下げ支持部材が、前記気化ユニットを適正な取付位置に支持する取付位置と、該取付位置よりも低い位置にあって前記吊り下げ支持部材と前記係合部との係合及び係合解除を行う係脱作業位置と、に操作自在である態様を例示する（請求項２）。
【０００９】
この場合、前記吊り下げ支持部材を前記係脱作業位置へと操作し、前記吊り下げ支持部材と前記係合部とを係合させ、その後、前記吊り下げ支持部材を前記取付位置へと操作することにより、前記気化ユニットを前記給排水装置に支持させることができる。取り外し時には、前記吊り下げ支持部材を前記係脱作業位置へと操作し、前記吊り下げ支持部材と前記係合部との係合を解除する。このようにすれば、前記係脱作業位置が前記取付位置よりも低い位置にあるので、前記吊り下げ支持部材と前記係合部との係脱作業を行い易い。
【００１０】
好適な実施の一形態として、前記吊り下げ支持部材の操作をつめ車装置によって行う態様を例示する（請求項３）。
【００１１】
具体的には、前記つめ車装置を構成するつめとつめ車との係合を解除する操作部材を備え、前記つめとつめ車との係合が解除されることにより前記つめ車が所定量だけ回動して前記吊り下げ支持部材が前記取り外し作業位置まで降下する態様とすることができる（請求項４）。
【００１２】
好適な実施の一形態として、前記吊り下げ支持部材の端部に抜け止め部材が固着され、前記気化ユニット側に前記係合部としてスリット付ブラケットが配設され、前記吊り下げ支持部材と前記係合部との係合及び係合解除が、前記スリットへの前記吊り下げ支持部材の係脱によって行われる態様を例示する（請求項５）。
【図面の簡単な説明】
【００１３】
【図１】本発明の実施の一形態による天井埋込型気化式加湿装置の一部切欠き全体斜視図である。
【図２】図１の天井埋込型気化式加湿装置の側面図である。
【図３】気化ユニットと、該気化ユニットの支持及び解除構造を示す斜視図である。
【図４】気化ユニットの分解側面図である。
【図５】気化ユニットの取り付け及び取り外し過程を示す説明図である。
【発明を実施するための形態】
【００１４】
以下に、本発明の実施の一形態を、図面を参照しながら詳細に説明する。
【００１５】
図１において、１は気化ユニット、２は該気化ユニット１の支持及び該支持を解除自在の給排水装置、３は送風機である。また、４は前記給排水装置２を構成する循環ポンプ、５は水吸込み口、６は給水電磁弁、７は給水管が連結される給水口、８は三方弁、９は散水ノズル、１０は排水管が連結される排水口、１１は前記各部の間を連結する配管、１２は水位センサー、１６は吊り金具、１８は建物の躯体部分に連結された吊りボルトである。
【００１６】
図２に示すように、前記天井埋込型気化式加湿装置は、前記吊り金具１６と前記吊りボルト１８によって天井１７の裏側に支持され、下部の化粧パネル２２の周縁の上面が前記天井１７の開口部１７ａの周縁の下面に接触している。図２中、１９は前記給排水装置２を構成する前記循環ポンプ４等の各部を支持する給排水装置支持板、２０は気化ユニット１の差込みガイドを構成する差込みガイド板、２３は前記化粧パネル２２に形成された気化ユニット着脱用開口部２２ａを開閉する開閉パネルである。前記差込みガイド板２０を含む差込みガイドにより、前記給排水装置２側には、前記気化ユニット１の挿入受け部２１（図５参照）が形成される。
【００１７】
図３及び図４に示すように、前記気化ユニット１は、水槽１ａと、ハニカム状吸湿材からなる気化媒体１ｂと、を備え、前記水槽１ａと気化媒体１ｂは一体且つ分離自在に形成されている。すなわち、水槽１ａの上面に、互いに対向する一対の気化ユニットフレーム２４，２４が起立させられる。該各気化ユニットフレーム２４は、上から見てコ字状の板体である、前記一対の気化ユニットフレーム２４，２４は、開口部を互いに対向させ、且つ、相互間に前記気化媒体１ｂの長さに対応する間隔をおいて、前記水槽１ａ上に配設されている。したがって、前記一対の気化ユニットフレーム２４，２４の間には、前記気化媒体１ｂを上方から差込むことができ、且つ、上方へと取り出すことができる。なお、前記気化媒体１ｂはステンレス又は合成樹脂等の枠で囲まれている。
【００１８】
さらに、前記一対の気化ユニットフレーム２４のそれぞれの外側面には、前記給排水装置２側に設けられた前記差込みガイド板２０と適合するガイドレール２５が設けられている。図３において、２６は上面カバー、２７は前記上面カバー２６を押さえるスプリングキャッチである。図４において、２８は水抜きプラグ栓、３０は冬期の水温が低いため気化しにくく加湿不足の場合に水温を上げる水中ヒーター、３１は殺菌のためのＵＶランプである。
【００１９】
図３及び図４に示すように、前記気化ユニット１には、係合部としてのブラケット３２，３２が設けられている。具体的には、前記水槽１ａの長さ方向の両端部に、前記ブラケット３２，３２が固着されている。該各ブラケット３２，３２は、前記水槽１ａの長さ方向の両端部から互いに逆向きに水平に突出している。前記各ブラケット３２，３２の先端部にはスリット３３，３３が形成されている（図３参照）。
【００２０】
図３に示すように、前記天井埋込型気化式加湿装置は、前記気化ユニット１を吊り下げ状態で支持するための吊り下げ支持部材として、二本のワイヤ３４，３４を備えている。各ワイヤ３４，３４は、前記給排水装置２側に軸支される吊り下げプーリ３５，３５に巻き掛けられている。該各吊り下げプーリ３５，３５は、前記給排水装置２への取り付け状態における前記気化ユニット１の長さ方向の両端面の外方位置であって、前記各ブラケット３２，３２の上方に位置する。前記各ワイヤ３４，３４の一端部３４ａ，３４ａは、前記給排水装置２側に配設される巻取りプーリ３６，３６に連結され、他端部３４ｂ，３４ｂは前記ブラケット３２に対して着脱自在とされている。前記各ワイヤ３４，３４の前記他端部３４ｂ，３４ｂは、前記気化ユニット１を適正な取付位置に支持する取付位置［（図５（ｃ）に示す位置］と、該取付位置よりも低い位置にあって前記各ワイヤ３４，３４と前記各ブラケット３２，３２との係合及び係合解除を行う係脱作業位置［（図５（ａ）（ｂ）（ｄ）に示す位置］と、に操作自在である。本実施の形態では、前記各ワイヤ３４，３４の操作がつめ車装置３７によって行われる。該つめ車装置３７は、天井裏の前記給排水装置２側であって、前記化粧パネル２２に設けた前記気化ユニット着脱用開口部２２ａから作業者が手を差し入れて操作可能な位置に配設される。
【００２１】
前記つめ車装置３７は、つめ車３８と、該つめ車３８に係合するつめ３９と、該つめ３９と前記つめ車３８との係合を解除する操作部材としてのつめ操作ハンドル４０と、を備える。前記つめ車３８には、前記巻取りプーリ３６，３６の内のいずれか一方が同心に固着されている。二つの前記巻取りプーリ３６，３６の支軸は、前記つめ車装置３７の回転軸４１と一致している。前記つめ車３８には、該つめ車３８を回転操作するためのつめ車操作ハンドル４２が設けられている。前記つめ３９は、支軸３９ａを中心として揺動自在であり、常時は前記つめ車に係合する方向にばね３９ｂで付勢されている。該ばね３９ｂの付勢力に抗して前記つめ操作ハンドル４０を操作することにより、前記つめ３９と前記つめ車３８との係合を解除することができる。
【００２２】
前記各ワイヤ３４，３４の前記他端部３４ｂ，３４ｂには、前記ブラケット３２，３２への係止部として、抜け止め用のストッパ４３，４３が固着されている。前記ブラケット３２，３２の前記スリット３３に前記ワイヤ３４の他端部３４ｂを横から挿通すれば、前記ストッパ４３が前記ブラケット３２に下から係止されて抜け止めとなる。
【００２３】
前記回転軸４１上にはギア４８が配設され、このギア４８にはロータリーダンパー４４が噛合している。このロータリーダンパー４４は、前記つめ車３８が図３で見て左回転するときにのみトルクが掛かるように作用する。
【００２４】
図５を参照して、前記給排水装置２に対する前記気化ユニット１の取り付け及び取り外し過程を説明する。
【００２５】
まずは、前記気化ユニット１の取り付け過程である。図５（ａ）は、前記気化ユニット１の取り付け時の状態を示しており、前記各ワイヤ３４が前記係脱作業位置にある状態である。この時、前記ストッパ４３が前記天井１７とほぼ同一か又はそれより低い位置にある。このため、前記各ワイヤ３４と前記各ブラケット３２とを係合させる作業がし易い。作業者は、前記開閉パネル２３を開いて前記気化ユニット着脱用開口部２２ａを開口させ、この開口に向けて気化ユニット１を片手で支え上げ、前記差込みガイド板２０間の前記挿入受け部２１に前記気化ユニット１を差し入れる。前記差込みガイド板２０は、前記気化ユニット１の前記ガイドレール２５と適合して該ガイドレール２５を案内する。このため、前記気化ユニット１はその底部を作業者が支えているだけで安定した姿勢に維持される。
【００２６】
この状態で、作業者は、図５（ｂ）に示すように、前記気化ユニット１の前記各ブラケット３２に前記各ワイヤ３４の端部の前記ストッパ４３を係止させる。その結果、前記二本のワイヤ３４，３４で前記気化ユニット１が吊り下げ状態に支持される。
【００２７】
作業者が前記つめ車操作ハンドル４２を図５（ｃ）で見て左に回すことにより、前記各ワイヤ３４の前記一端部３４ａ側が前記巻取りプーリ３６で巻き取られ、前記各ワイヤ３４の前記ストッパ４３が前記取付位置へと移動する。これにより、前記気化ユニット１が前記給排水装置２に対する正規の取付高さ位置まで引き上げられる。前記つめ車３８には前記つめ３９が係合しているので、前記気化ユニット１の重さによって前記つめ車３８がワイヤ繰り出し方向に回転［図５（ｂ）で見て左回転］することが防止される。以上の操作で前記気化ユニット１の取り付け作業が完了する。最後に作業者は、前記開閉パネル２３を用いて前記気化ユニット着脱用開口部２２ａを閉じる。
【００２８】
次に、前記気化ユニット１の取り外し過程について述べる。作業者はまず、前記開閉パネル２３を開けて前記気化ユニット着脱用開口部２２ａを開口させる。作業者は、前記気化ユニット着脱用開口部２２ａから装置内に手を差し入れて前記つめ操作ハンドル４０を操作し、前記つめ３９と前記つめ車３８との係合を解除する。具体的には、前記つめ操作ハンドル４０を図５（ｄ）で見て上方へ揺動操作する。これにより前記つめ３９と前記つめ車３８との係合が解除されるので、前記気化ユニット１の重さで前記つめ車３８が所定角度だけ図５（ｄ）で見て左回転し、前記気化ユニット１と共に前記ストッパ４３が前記取付位置から前記係脱作業位置まで下がる。このとき、前記ロータリーダンパー４４の作用により前記気化ユニット１はゆっくりとした速度で下がるので、該気化ユニット１に衝撃が及ぶことはない。気化ユニット下降後の図５（ｄ）の状態において、作業者は、前記気化ユニット１の底部を片手で支えながら前記ストッパ４３と前記ブラケット３２との係合を解除する。この時、前記ストッパ４３が前記取付位置より低い前記係脱作業位置にあるので、前記ストッパ４３と前記ブラケット３２との係合解除作業が楽に行える。そして、前記差込みガイド板２０に沿って前記気化ユニット１の前記ガイドレール２５を滑らせながら、前記気化ユニット１を前記給排水装置２から取り出す。以上の操作で前記気化ユニット１の取り外し作業が完了する。
【００２９】
以上のように、本実施の形態によれば、前記つめ車装置３７の操作と、前記ストッパ４３と前記ブラケット３２との係脱と、を行うだけで、前記気化ユニット１の取り付け及び取り外し作業が完了する。よって、これらの作業を簡単且つ迅速に行うことができる。
【００３０】
本発明の他の実施の形態として、次のものも採用できる。
【００３１】
（１）前記つめ車装置３７と前記吊り下げプーリ３５を省略し、吊り下げ支持部材としての各ワイヤ３４の上端部を前記給排水装置２側に固定する。各ワイヤ３４は真下に向かって垂れ下がり、各ワイヤ３４の下端のストッパ４３の位置は不変となる。この場合、該ストッパ４３の位置が前記係脱作業位置まで下降するという図示例の作用は奏されないので、前記ストッパ４３と前記ブラケット３２との係脱作業が図示例の場合よりもやや難しくなるが、この態様も本発明の範囲内である。この態様は、前記つめ車装置３７と前記吊り下げプーリ３５を省略できるので、構成が簡素となり、製造も簡単且つ低コストで行える等の利点がある。この場合、吊り下げ支持部材に可撓性は必須ではないので、ワイヤに代えて、金属性の細い棒材を用いることもできる。
【００３２】
（２）前記各ワイヤ３４と前記気化ユニット１との連結及び連結解除の他の態様として、前記ストッパ４３と前記ブラケット３２との組み合わせに代えて、フックとフック受け部との組み合わせを用いる。すなわち、前記フックを前記各ワイヤの下端部に設け、前記フック受け部を前記気化ユニット側に設ける。この場合も、前記フックと前記フック受け部との係脱作業が容易に行えるので、気化ユニット１の取り付け及び取り外し作業が簡単且つ迅速に行える。
【００３３】
（３）図３の例では、前記ストッパ４３と前記ブラケット３２との組み合わせを、前記気化ユニット１の長さ方向の両端部に配設しているが、何れか一方を省略することもできる。前記差込みガイド板２０が、前記気化ユニット１の長さ方向の両端側で前記ガイドレール２５と適合して該ガイドレール２５を案内するため、前記気化ユニット１を前記給排水装置２側にセットした後は、片側だけを前記ワイヤ３４で吊り下げ支持してあれば気化ユニット１の安定姿勢が保持されるからである。
【００３４】
（４）以上に述べた実施の形態を適宜組み合わせても良いことは勿論である。
【００３５】
つぎに、本装置の運転の実際を説明する。本装置は単独で運転すること及び空調機との連動も可能である。本装置への電源をＯＮにすると、湿度調整器の設定湿度に満たない相対湿度の時に運転が開始される。
【００３６】
運転が開始されると、水位センサー１２の指示により給水電磁弁７から水槽１ａ内に水が供給される。続いて水槽１ａ内の水位が加湿運転可能レベルに達すると循環ポンプ４が作動して水槽１内の水を汲み上げ、三方弁８を介して散水ノズル９へ供給され気化ユニット１を構成する気化媒体１ｂ上に散布され、送風機３の働きで気化が促進される。
【００３７】
前記加湿運転の継続に伴い前記水槽１ａ内の水位が低下すると、前記水位センサー１２の信号により前記給水電磁弁７が作動して前記水槽１ａ内に所定の水位まで水が供給される。
【００３８】
以後、同様のサイクルが繰り返され、所定の時間運転が継続された後、具体的には前記水槽１ａ内の水の汚れが想定される時には前記三方弁８が切り換えられ、水槽１ａ内の水が循環ポンプ４の働きで排水口１０から図示しない排水管を介して建物の外部へ排水される。
【００３９】
なお、前記排水時に給水も同時に行いながら所定時間排水を継続し、水槽１ａ内を洗浄することも、また、排水と給水を交互に何サイクル行うか、なども自由に制御することができる。
【符号の説明】
【００４０】
１    気化ユニット
１ａ  水槽
１ｂ  気化媒体
２    給排水装置
３    送風機
１７  天井
２０  差込みガイド
３２  係合部（スリット付ブラケット）
３４  吊り下げ支持部材（ワイヤ）
３７  つめ車装置
３８  つめ車
３９  つめ
４３  抜け止め部材（ストッパ）
【図１】
2013194944.tif 000003
【図２】
2013194944.tif 000004
【図３】
2013194944.tif 000005
【図４】
2013194944.tif 000006
【図５】
2013194944.tif 000007